(57)【要約】【課題】樹脂突起付きの透明フィルムの使用をなくし、部品点数を減少させ、コストダウンを図るとともに、透明な樹脂突起に代えて不透明な着色樹脂を使用しすることによって光の反射強度を抑え、照度むらをなくする。【解決手段】保持シート２の基板３側の接着面４にドーム状の可動接点５を基板３の固定接点６に対向させて取付けるとともに、保持シート２のキー操作部７側の面８で可動接点５の中心位置に半球状のプッシャー９を設け、プッシャー９の頂部を可動接点５のキー操作部７に対向させて、プッシャー付き接点保持シート１を構成している。プッシャー９は紫外線硬化タイプで柔軟な印刷用遮光性着色樹脂材料により構成する。【選択図】図３
2009277610.tif 000002
【特許請求の範囲】
【請求項１】
保持シート（２）の基板（３）側の粘着面（４）にドーム状の可動接点（５）を基板（３）の固定接点（６）に対向させて取付けるとともに、保持シート（２）のキー操作部（７）側の面（８）で可動接点（５）の中心位置に半球状のプッシャー（９）を設け、このプッシャー（９）の頂部を可動接点（５）のキー操作部（７）に対向させることを特徴とするプッシャー付き接点保持シート（１）。
【請求項２】
プッシャー（９）を紫外線硬化タイプで柔軟な印刷用遮光性着色樹脂材料により構成することを特徴とする請求項１記載のプッシャー付き接点保持シート（１）。
【発明の詳細な説明】
【技術分野】
【０００１】
本発明は、主として携帯電話機やその他の携帯用電子機器に組み込む小さなスイッチ用の接点保持シートに関する。
【背景技術】
【０００２】
携帯電話機や携帯用電子機器組み込み用の小さなスイッチは、直径３〜４ｍｍ前後のドーム状の可動接点とこの可動接点に対向する固定接点とで構成されている。複数の可動接点は、保持シートに保持され、固定接点は、基板に組み込まれて、それぞれの可動接点に対向している。
【０００３】
機器に対するスイッチの組み込み状態で、スイッチ操作は、キー操作部によって行われるが、キー操作部の変位は、通常、透明フィルムと一体の樹脂突起に伝えられ、樹脂突起を可動接点の中心部に押し当て、その可動接点を固定接点に電気的に接触させる。このために、透明フィルムは、スイッチ操作部と保持シートとの間に介在している。
【０００４】
樹脂突起付きの透明フィルムの製作に当たって、金型に所定の配列で複数の穴を形成しておき、その中に樹脂を埋め込み、それらの上に透明フィルムを貼り、透明フィルムと樹脂突起とを所定の位置に接着させていた。
【０００５】
上記の構成によると、保持シートとは別に樹脂突起付きの透明フィルムが必要となり、そのため部品点数が増えてコストアップにつながっている。また、樹脂が透明なものであると、透明な樹脂がキー操作部に対する照明用のＬＥＤの光りを拡散して、キー操作部のキートップ面を強く発光させてしまうため、キートップ面に明るさのばらつき（照度むら）が出ていた。
【特許文献１】特開２００１−０２８２２０号公報
【特許文献２】特開２００７−０７３３０１号公報
【発明の開示】
【発明が解決しようとする課題】
【０００６】
したがって、本発明の解決課題は、樹脂突起付きの透明フィルムの使用をなくし、部品点数を減少させ、コストダウンを図るとともに、透明な樹脂突起に代えて不透明な着色樹脂を使用することによって、光の拡散を抑え、キートップ面での照度むらをなくすることである。
【課題を解決するための手段】
【０００７】
そこで、本発明は、保持シート（２）の基板（３）側の粘着面（４）にドーム状の可動接点（５）を基板（３）の固定接点（６）に対向させて取付けるとともに、保持シート（２）のキー操作部（７）側の面（８）で可動接点（５）の中心位置に半球状のプッシャー（９）を設け、このプッシャー（９）の頂部を可動接点（５）のキー操作部（７）に対向させることによって、プッシャー付き接点保持シート（１）を構成している。
【０００８】
上記のプッシャー（９）は、紫外線硬化タイプで柔軟な印刷用遮光性着色樹脂材料によりにより構成される。
【発明の効果】
【０００９】
本発明によると、保持シート（２）の一方の面に可動接点（５）が取付けられ、かつ保持シート（２）の他方の面（８）に半球状のプッシャー（９）が設けられているから、従来必要とされたプッシャーシートが不要となり、その分、部品数の削減が可能となり、全体的な構造も単純化できる。
【００１０】
プッシャー（９）構成用の樹脂材料が紫外線硬化タイプで印刷技術を利用して形成できるため、印刷後の硬化が早く製作も容易である。保持シート（２）に対して形成後のプッシャー（９）は柔軟に変形可能な状態であり、キー操作部（７）はプッシャー（９）の頂部に対して多点もしくは平面で当たるから、キー操作部（７）による衝撃的な操作のときでも、保持シート（２）の寿命試験での耐久性がアップし、キー操作のときの適度なストロークおよび適切な操作性が確保できる。さらに、プッシャー（９）が柔軟な遮光性の着色樹脂材料により構成されているから、プッシャー（９）の部分で必要以上に乱反射が起きず、キー操作部（７）から見たとき、キー操作部（７）に対する照明用の光源（１０）からの光むらが少なくり、夜間など暗い空間でのキー操作が違和感なくできる。
【発明を実施するための最良の形態】
【００１１】
図１および図２は、本発明に係るプッシャー付き接点保持シート１を一例として携帯電話機のキー操作の部分に組み込むときの態様を示しており、図３は、プッシャー付き接点保持シート１を携帯電話機の基板３に取付けた状態を示している。
【００１２】
図１ないし図３において、本発明に係るプッシャー付き接点保持シート１は、保持シート２によって構成されており、保持シート２は、基板３側の粘着面４に、複数のドーム状の可動接点５を基板３の一または二以上の固定接点６に対向させて保持するとともに、キー操作部７側の面８において、可動接点５の中心位置に半球状のプッシャー９を形成している。ここで、可動接点５とこれに対向する固定接点６とは、キー操作部７によってオンオフ操作可能なスイッチを構成している。
【００１３】
保持シート２は、例えばＰＥＴ粘着テープであり、複数の可動接点５は、テンキーや各種のファンクションキーに対応する位置で、ＰＥＴ粘着テープ基材のアクリル系粘着剤による粘着面４に取付けられている。各可動接点５は、ドーム状（皿状）でクリックアクション付きのものであり、凹面を基板３の固定接点６に対向する状態で、凸面により保持シート２の粘着面４に取付けられている。可動接点５の直径は、組み込み対象の機器の全体の大きさによっても変化するが、概ね２．５〜４．５ｍｍ程度である。固定接点６は、それぞれの可動接点５に対応位置で、基板３の面にプリント印刷などの技術により形成されている。なお、保持シート２には、基板３に対する位置規制のために例えば３つの位置決め孔１１が設けられている。
【００１４】
また、半球状のプッシャー９は、保持シート２の面８でそれぞれの可動接点５の中心位置毎に樹脂材料によって、可動接点５と同じ方向に凸の状態として構成されている。図１でプッシャー９は、斜線部分により表されている。プッシャー９の樹脂材料は、紫外線硬化タイプで、印刷用の遮光性着色材料により構成されている。このため、プッシャー９は、遮光性着色材料を保持シート２の面８に印刷技術を利用して形成される。印刷後に、樹脂材料は、紫外線の照射によって短時間のうちに硬化し、柔軟な半楕円体ないし半球体となる。樹脂材料が紫外線硬化タイプで印刷技術を利用して形成できるため、印刷後の樹脂材料の硬化が早く、プッシャー９の形成も１または２以上の保持シート２について１度にかつ容易にできる。なお、プッシャー９の高さは０．０５〜０．３ｍｍ程度とし、その直径は１．５ｍｍ程度とする。
【００１５】
上記のように、保持シート２の一方の側の接着面４に可動接点５が取付けられ、かつ保持シート２の他方の側の面８に半球状のプッシャー９が設けられているから、従来、必要とされたプッシャー保持用のプッシャーシートが不要となり、その分、部品数の削減が可能となるため、全体的な構造も単純化できる。
【００１６】
それぞれのプッシャー９の頂部は、可動接点５のキー操作部７に直接に対向するか、またはライトガイド１２を介してスイッチ操作部７に間接的に対向する。このライトガイド１０は、導光性の透明フィルムであり、その透明フィルムの端面でＬＥＤなどの光源１０からの照明光を受け、透明フィルム内に案内し、透明フィルム外への拡散により、キー操作部７に均一に照射する。キー操作部７は、各可動接点５毎にケース１３に支えられた独立のキートップ７ａにより構成されているか、または図示しないが、引用文献２のように、すべての可動接点５に共通で一体の変形可能なキーパッド（キートップ）により構成されている。
【００１７】
プッシャー付き接点保持シート１が例えば携帯電話機に組み込まれた状態で、携帯電話機の利用者が携帯電話機をキー操作可能なモードに設定してから、キー操作部７をドーム状の可動接点５の方向に押すと、キー操作部７は、その底面で、ライトガイド１０を介してプッシャー９の頂部に間接的に接触するか、またはプッシャー９の頂部に直接に接触し、プッシャー９、これと一体の保持シート２およびドーム状の可動接点５を基板３の方向に変位させる。このとき、プッシャー９の頂部は、柔軟に変形し、キー操作部７に対して多点もしくは平面で当たるから、キー操作部７の強い衝撃を伴う操作のときでも、そのときの力が分散する。このため、保持シート２および可動接点５の耐久性が向上し、適度なストロークと操作性が長期間にわたって確保できる。
【００１８】
可動接点５は、基板３の方向に変位する過程で、基板３の固定接点６に接し、それらの間を電気的にオンの状態とする。このオンの状態と前後して、ドーム状の可動接点５は、偏平に弾性変形して、湾曲方向を反転させ、いわゆるクリックアクションの動作をする。このため、利用者は、クリックアクションの動作によるストロークの急変からスイッチオンの状態を確認できる。利用者が押す方向の力を弱めると、可動接点５は、もとの形状に弾性復帰するため、固定接点６から離れて電気的にオフの状態となる。
【００１９】
プッシャー９が柔軟な遮光性の着色樹脂材料により構成されているから、光源１０からの照明光は、プッシャー９の部分で必要以上に拡散しない。このため、キー操作面から見たとき、キー操作面側で照明光のむらが少なくり、夜間など暗い空間でのキー操作が違和感なくできる。
【産業上の利用可能性】
【００２０】
本発明に係るプッシャー付き接点保持シート１は、携帯電話機や携帯用電子機器に組み込むことを目的として製作されているが、その他の小型のキースイッチにも利用でき、そのときのキースイッチの構造に適合するような形態として製作される。また、既述のようにキー操作部７は、独立のキートップ７ａに代えて、すべての可動接点５に共通な一体の変形可能なキーパッド（キートップ）により構成することもできる。
【図面の簡単な説明】
【００２１】
【図１】本発明に係るプッシャー付き接点保持シート１の平面図である。
【図２】図１でのＡ−Ａ矢印方向の断面図である。
【図３】本発明に係るプッシャー付き接点保持シート１を基板３に組み込んだ状態での要部の拡大断面図である。
【符号の説明】
【００２２】
１  プッシャー付き接点保持シート
２  保持シート
３  基板
４  粘着面
５  可動接点
６  固定接点
７  キー操作部
７ａ  キートップ
８  面
９  プッシャー
１０  光源
１１  位置決め孔
１２  ライトガイド
１３  ケース
【図１】
2009277610.tif 000003
【図２】
2009277610.tif 000004
【図３】
2009277610.tif 000005